(57)【要約】【課題】スピニングリールの釣り糸案内機構において、第１支持部材や固定軸及び固定軸カバーを分解することなくラインローラの内周部に注油を容易に行えるようにする。【解決手段】スピニングリールのベールアーム４４では、第１ベール支持部材４０には、外部からラインローラ４１のローラ４１ａ内周部を臨むように貫通する貫通孔４０ｅが形成され、貫通孔４０ｅには、潤滑油を注油するための注油孔８０ａを有する合成ゴム等の合成樹脂製のキャップ部材８０が装着されている。ここでは、ラインローラ４１の内周部に潤滑油を注油するときは、外部に露出したキャップ部材８０の注油孔８０ａからラインローラ４１の内周部に潤滑油を注油する。【選択図】図３
2011092047.tif 000002
【特許請求の範囲】
【請求項１】
第１ロータアームの先端に糸案内姿勢と糸開放姿勢とに揺動自在に装着され釣り糸をスプールに案内するスピニングリールの釣り糸案内機構であって、
前記第１ロータアームの先端に揺動自在に装着された第１支持部材と、
前記第１支持部材に一端が固定された固定軸と、
前記固定軸の他端に前記第１支持部材と間隔を隔てて設けられ、外周に前記釣り糸が案内される案内部を有する固定軸カバーと、
前記固定軸に回動自在に支持され、周面に前記釣り糸を案内するローラが形成されたラインローラと、
前記第１支持部材、前記固定軸及び前記固定軸カバーのいずれかに形成され、外部から前記ローラの内周部を臨むように貫通する貫通孔と、
前記貫通孔を閉塞するように装着され、注油するための注油孔を有する合成樹脂製のキャップ部材と、
を備えたスピニングリールの釣り糸案内機構。
【請求項２】
前記貫通孔は、前記第１支持部材に形成されている、請求項１に記載のスピニングリールの釣り糸案内機構。
【請求項３】
前記第１支持部材は、前記固定軸が取り付けられる部分の周囲が内側に凹んだ凹部を有しており、
前記貫通孔は、前記凹部の前記固定軸取り付け部分近傍に配置される、請求項２に記載のスピニングリールの釣り糸案内機構。
【請求項４】
前記注油孔は、注油用ノズルが挿入可能に小径となるように形成された貫通孔である、請求項１から３のいずれか１項に記載のスピニングリールの釣り糸案内機構。
【請求項５】
前記キャップ部材は、前記ローラの内周部側から前記貫通孔に装着される、請求項１から４のいずれか１項に記載のスピニングリールの釣り糸案内機構。
【請求項６】
前記キャップ部材は、板状の抜け止め部材によって抜け止めされる、請求項５に記載のスピニングリールの釣り糸案内機構。
【請求項７】
前記キャップ部材は、中央部に前記注油孔が形成された筒状部材である、請求項１から６のいずれか１項に記載のスピニングリールの釣り糸案内機構。
【請求項８】
前記ラインローラは、前記ローラの内周部に別体で装着され、前記貫通孔及び前記ローラの内周部と連通可能な切り欠き部が形成された筒状部材をさらに有する、請求項１から７のいずれか１項に記載のスピニングリールの釣り糸案内機構。
【請求項９】
前記第１ロータアームにロータ回転軸心を挟んで対向するように設けられた第２ロータアームの先端に前記糸案内姿勢と前記糸開放姿勢とに揺動自在に装着された第２支持部材と、
前記第２支持部材と少なくとも前記固定軸及び前記固定軸カバーのいずれかとに両端が固定され、前記スプールの周方向外方に湾曲して配置され、前記釣り糸を前記固定軸カバーを介して前記ラインローラに導くベールとをさらに備える、請求項１から８のいずれか１項に記載のスピニングリールの釣り糸案内機構。
【発明の詳細な説明】
【技術分野】
【０００１】
本発明は、釣り糸案内機構、特に、第１ロータアームの先端に糸案内姿勢と糸開放姿勢とに揺動自在に装着され釣り糸をスプールに案内するスピニングリールの釣り糸案内機構に関する。
【背景技術】
【０００２】
スピニングリールには、釣り糸をスプール案内する釣り糸案内機構がロータの先端に設けられている。ロータは、リール本体に回転自在に装着された円筒部と、円筒部の後部に対向して一体で形成された第１ロータアーム及び第２ロータアームを有している。釣り糸案内機構は、この２つのロータアームの先端に糸案内姿勢と糸開放姿勢との間で揺動自在に装着されている。この種の釣り糸案内機構は、第１ロータアームに揺動自在に設けられた第１支持部材と、第２ロータアームの先端に揺動自在に設けられた第２支持部材と、両支持部材を連結するベールとを有している。第１支持部材の先端には、釣り糸を案内するためのラインローラと、ラインローラを支持するための固定軸及び固定軸カバーとが装着されており、ベールの一端は固定軸カバーに固定されている。ベールの他端は第２支持部材にかしめ固定されている（たとえば、特許文献１参照）。
【０００３】
このような釣り糸案内機構のラインローラは、第１支持部材の先端にボルト部材によって固定された固定軸及び固定軸カバーの外周部に回転自在に装着された筒状の部材である。そして、ラインローラの内周部には、ラインローラの回転をスムーズに行うために、オイル等の潤滑油が注油されている。
【先行技術文献】
【特許文献】
【０００４】
【特許文献１】特開２０００−１０２３３４号公報
【発明の概要】
【発明が解決しようとする課題】
【０００５】
前記従来の釣り糸案内機構では、ラインローラの内周部に潤滑油を注油するには、第１支持部材からボルト部材を取り外し、固定軸及び固定軸カバーを第１支持部材から分解した状態で潤滑油の注油を行っている。この場合には、ラインローラに注油を行う毎に固定軸及び固定軸カバーを分解しなければならないが、ラインローラ部分にはボルト部材を含めて小さな部品が多いので、釣人が固定軸及び固定軸カバーを分解すると、ラインローラの各種部品を紛失したり、順序や部品の向きを間違えて組み立ててしまうおそれがある。
【０００６】
本発明の課題は、スピニングリールの釣り糸案内機構において、第１支持部材や固定軸及び固定軸カバーを分解することなくラインローラの内周部に注油を容易に行えるようにすることにある。
【課題を解決するための手段】
【０００７】
発明１に係るスピニングリールの釣り糸案内機構は、第１ロータアームの先端に糸案内姿勢と糸開放姿勢とに揺動自在に装着され釣り糸をスプールに案内するスピニングリールの釣り糸案内機構であって、第１支持部材と、固定軸と、固定軸カバーと、ラインローラと、貫通孔と、キャップ部材とを備えている。第１支持部材は、第１ロータアームの先端に揺動自在に装着される。固定軸は、第１支持部材に一端が固定される。固定軸カバーは、固定軸の他端に第１支持部材と間隔を隔てて設けられ、外周に釣り糸が案内される案内部を有する。ラインローラは、固定軸に回動自在に支持され、周面に釣り糸を案内するローラが形成される。貫通孔は、第１支持部材、固定軸及び固定軸カバーのいずれかに形成され、外部からローラの内周部を臨むように貫通する。キャップ部材は、貫通孔を閉塞するように装着され、注油するための注油孔を有する合成樹脂製のものである。
【０００８】
この釣り糸案内機構では、第１支持部材、固定軸及び固定軸カバーのいずれかには、外部からラインローラのローラ内周部を臨むように貫通する貫通孔が形成され、貫通孔には、潤滑油を注油するための注油孔を有する合成ゴム等の合成樹脂製のキャップ部材が装着されている。ここでは、ラインローラの内周部に潤滑油を注油するときは、外部に露出した注油孔からラインローラの内周部に潤滑油を注油する。ここでは、従来のように第１支持部材や固定軸及び固定軸カバーを分解することなく潤滑油を注油することができるので、ラインローラの各種部品を紛失することがなくなり、第１支持部材や固定軸及び固定軸カバーを分解することなくラインローラの内周部に容易に注油を行うことができる。
【０００９】
発明２に係る釣り糸案内機構は、発明１の釣り糸案内機構において、貫通孔は、第１支持部材に形成されている。この場合、固定軸や固定軸カバーより比較的サイズの大きい第１支持部材に貫通孔が形成されているので、キャップ部材の装着等の組立作業が容易になる。また、第１支持部材の外側と内側とを貫通する貫通孔を形成し、注油孔が第１支持部材の外側に露出するように形成することができるので、この場合には、外側に露出する注油孔が第１支持部材自身によって内側のスプールと隔てられるので、スプールからの水飛沫が注油孔に浸入しにくくなる。
【００１０】
発明３に係る釣り糸案内機構は、発明２の釣り糸案内機構において、第１支持部材は、固定軸が取り付けられる部分の周囲が内側に凹んだ凹部を有している。貫通孔は、凹部の固定軸取り付け部分近傍に配置される。この場合、貫通孔は、外部から目立ちにくい凹部の固定軸取り付け部分近傍に配置されるので、貫通孔による外観意匠への影響を最小限に抑えることができる。
【００１１】
発明４に係る釣り糸案内機構は、発明１から３のいずれかの釣り糸案内機構において、注油孔は、注油用ノズルが挿入可能に小径となるように形成された貫通孔である。この場合、注油孔は、比較的細い外径の注油用ノズルが挿入可能に小径となるように形成された貫通孔であるので、注油した潤滑油が外部に漏れにくくなるとともに、内部に塩や塵芥等が進入しにくくなる。
【００１２】
発明５に係る釣り糸案内機構は、発明１から４のいずれかの釣り糸案内機構において、キャップ部材は、ローラの内周部側から貫通孔に装着される。この場合、キャップ部材をローラの内周部側から装着することによって、キャップ部材が外側に露出しないように配置できるので、キャップ部材の損傷や劣化を防止できる。
【００１３】
発明６に係る釣り糸案内機構は、発明５の釣り糸案内機構において、キャップ部材は、板状の抜け止め部材によって抜け止めされる。この場合、キャップ部材の内側面に接触するように板状の抜け止め部材を第１支持部材、固定軸及び固定軸カバーのいずれかの内側から装着することによって、キャップ部材の抜け止め及び位置決めを容易に行うことができる。
【００１４】
発明７に係る釣り糸案内機構は、発明１から６のいずれかの釣り糸案内機構において、キャップ部材は、中央部に注油孔が形成された筒状部材である。この場合、キャップ部材として、たとえば中央部に細孔からなる注油孔を有する管状部材や、中央部に空洞からなる注油孔を有するＯリング等の環状部材を使用できる。
【００１５】
発明８に係る釣り糸案内機構は、発明１から７のいずれかの釣り糸案内機構において、ラインローラは、ローラの内周部に別体で装着され、貫通孔及びローラの内周部と連通可能な切り欠き部が形成された筒状部材をさらに有する。この場合、たとえば筒状部材がローラの内周部かつ固定軸の外周部（固定軸の外周部に軸受が装着されている場合には、軸受の外周部）にスペーサーとして介装されているときでも、筒状部材に貫通孔及びローラの内周部と連通可能な切り欠き部を設けることによって、ラインローラの内周部に容易に注油を行うことができる。
【００１６】
発明９に係る釣り糸案内機構は、発明１から８のいずれかの釣り糸案内機構において、第２支持部材と、ベールとをさらに備える。第２支持部材は、第１ロータアームにロータ回転軸心を挟んで対向するように設けられた第２ロータアームの先端に糸案内姿勢と糸開放姿勢とに揺動自在に装着される。ベールは、第２支持部材と少なくとも固定軸及び固定軸カバーのいずれかとに両端が固定され、スプールの周方向外方に湾曲して配置され、釣り糸を固定軸カバーを介してラインローラに導くものである。この場合、第２支持部材及びベールを有するタイプの釣り糸案内機構に本発明を適用できる。
【発明の効果】
【００１７】
本発明によれば、スピニングリールの釣り糸案内機構において、第１支持部材、固定軸及び固定軸カバーのいずれかには、外部からラインローラのローラ内周部を臨むように貫通する貫通孔が形成され、貫通孔には、潤滑油を注油するための注油孔を有する合成樹脂製のキャップ部材が装着されているので、第１支持部材や固定軸及び固定軸カバーを分解することなくラインローラの内周部に容易に注油を行うことができる。
【図面の簡単な説明】
【００１８】
【図１】本発明の一実施形態によるスピニングリールの側面図。
【図２】前記スピニングリールの側面断面図。
【図３】前記スピニングリールの第１ベール支持部材周辺部分の拡大断面図。
【図４】前記第１ベール支持部材の外側から見た斜視図。
【図５】前記第１ベール支持部材の内側から見た斜視図。
【図６】抜け止め部材の内側から見た拡大正面図。
【図７】キャップ部材の内側から見た拡大正面図。
【図８】前記キャップ部材の拡大斜視図。
【図９】筒状部材の拡大斜視図。
【図１０】前記キャップ部材周辺部分の拡大断面図。
【図１１】他の実施形態の図８に相当する図。
【図１２】他の実施形態の図１０に相当する図。
【発明を実施するための形態】
【００１９】
本発明の一実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、ハンドル１は、リール本体２の左右いずれにも装着可能である。
【００２０】
リール本体２は、図２に示すように、内部に空間を有するリールボディ２ａと、リールボディ２ａの空間を塞ぐためにリールボディ２ａに着脱自在に装着される蓋部材２ｂ（図１参照）とを有している。また、リール本体２は、リールボディ２ａ及び蓋部材２ｂの後部を覆う本体ガード２ｄを有している。
【００２１】
リールボディ２ａは、図２に示すように、たとえばマグネシウム合金やアルミニウム合金等の軽合金製のものであり、上部に前後に延びるＴ字形の竿取付脚２ｃが一体形成されている。リールボディ２ａの空間内には、図２に示すように、ロータ駆動機構５と、オシレーティング機構６とが設けられている。
【００２２】
蓋部材２ｂは、図１に示すように、たとえば、マグネシウム合金やアルミニウム合金等の軽合金製のものである。蓋部材２ｂは、たとえば、ロータ３で隠れる前側の２箇所で固定ボルトによりリールボディ２ａに固定されているとともに、ロータ３から離反する後側の１箇所で固定ボルトによりリールボディ２ａに固定されている。
【００２３】
ロータ駆動機構５は、図２に示すように、ハンドル１が固定されたマスターギア軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ第１軸受１４ａ、第２軸受１４ｂを介してリール本体２に回転自在に支持されている。
【００２４】
オシレーティング機構６は、図２に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２５】
ロータ３は、図２に示すように、リール本体２に対して前後方向の軸回りに回転自在なロータ本体７と、ロータ本体７の後部を覆う第１カバー部材３３と、第１ロータアーム３１及び第２ロータアーム３２の外側面を覆う１対の第２カバー部材３４及び第３カバー部材３５とを有している。
【００２６】
ロータ本体７は、図２に示すように、たとえばアルミニウム合金製であり、ピニオンギア１２に回転不能に連結され、リール本体２に対して回転自在である。ロータ本体７は、リール本体２の前部である円筒部を内部に配置可能に後部に形成された凹陥部を有する筒部３０と、筒部３０の後部の対向する位置に接続され筒部３０と間隔を隔てて前方に延びる第１ロータアーム３１及び第２ロータアーム３２とを有している。
【００２７】
筒部３０は、図２に示すように、前部内周側に円板状の壁部を有し、壁部の中心部には、ピニオンギア１２と一体回転可能に連結される環状のボス部が形成されている。このボス部の中心にピニオンギア１２の前部が回転不能に係止され、ピニオンギア１２の先端にねじ込まれたナット１３により、ロータ本体７がピニオンギア１２に固定されている。
【００２８】
第１カバー部材３３は、筒部３０の周囲でロータ本体７の後部を覆うように構成されている。第２カバー部材３４は、第１ロータアーム３１の外方を覆うものであり、第１ロータアーム３１にねじ込まれる固定ボルトにより第１ロータアーム３１に連結されている。
【００２９】
第２カバー部材３４は、図２に示すように、第１カバー部材３３及び第１ロータアーム３１と三次元的な曲線で接合している。第２カバー部材３４の先端部は、後述する第１ベール支持部材４０（第１支持部材の一例）を配置可能に概ね半円形に切り欠かれる。
【００３０】
第３カバー部材３５は、図２に示すように、第２ロータアーム３２の外方を覆うものであり、固定ボルト及びそれに螺合するナット部材により第２ロータアーム３２に固定される。第３カバー部材３５も第１カバー部材３３及び第２ロータアーム３２と三次元的な曲線で接合している。固定ボルトは、第３カバー部材３５をロータ本体７に固定するするとともに、後述する第２ベール支持部材４２（第２支持部材の一例）を揺動自在に支持する機能も有している。
【００３１】
第１ロータアーム３１の先端の外周側には、図２に示すように、第１ベール支持部材４０が揺動自在に装着されている。第１ベール支持部材４０の先端には、釣り糸をスプール４に案内するためのラインローラ４１が装着されている。また、第２ロータアーム３２の先端外周側には、第２ベール支持部材４２が揺動自在に装着されている。ラインローラ４１と第２ベール支持部材４２との間には線材を略Ｕ状に湾曲させた形状のベール４３が固定されている。これらの第１ベール支持部材４０、第２ベール支持部材４２、ラインローラ４１及びベール４３により釣り糸をスプール４に案内するベールアーム４４（釣り糸案内機構の一例）が構成される。ベールアーム４４は、図２に示す糸案内姿勢とそれから反転した糸開放姿勢との間で揺動自在である。
【００３２】
ベールアーム４４は、図１及び図２に示すように、第１ロータアーム３１及び第２ロータアーム３２の先端に、糸案内姿勢と糸開放姿勢との間で揺動自在に装着されている。ベールアーム４４は、第１ロータアーム３１及び第２ロータアーム３２の先端にそれぞれ揺動自在に装着された第１ベール支持部材４０及び第２ベール支持部材４２を有している。
【００３３】
第１ベール支持部材４０は、第１ロータアーム３１の外側に揺動自在に装着され、第２ベール支持部材４２は、第２ロータアーム３２の外側に揺動自在に装着されている。ベールアーム４４は、図１及び図２に示すように、第１ベール支持部材４０及び第２ベール支持部材４２を連結するベール４３と、第１ベール支持部材４０に先端が固定された固定軸４５と、固定軸４５に支持されたラインローラ４１と、固定軸４５を覆う固定軸カバー４６とを有している。
【００３４】
第１ベール支持部材４０は、第１ロータアーム３１の先端に揺動自在に装着される部材である。第１ベール支持部材４０は、図２、図４及び図５に示すように、第１ロータアーム３１に揺動自在に装着される第１回転支持部４０ａと、第１回転支持部４０ａから前方に延びる第１アーム部４０ｂと、第１アーム部４０ｂの先端に一体成形されベールアーム４４のラインローラ４１、固定軸４５及び固定軸カバー４６が装着される第１装着部４０ｃとを有している。第１装着部４０ｃは、図３から図５に示すように、固定軸４５にねじ止めされる固定ボルト４７（図３参照）が取り付けられる部分の周囲の形状が略雨滴形状となるように内側（図３左側）に凹んだ凹部４０ｄと、凹部４０ｄの略雨滴形状の略大円形の基端部に形成され固定ボルト４７が挿入される貫通孔４０ｇと、凹部４０ｄの略雨滴形状の略小円形の先端部に形成され第１ベール支持部材４０の内側からキャップ部材８０を装着するための貫通孔４０ｅとを有している。キャップ部材８０装着用の貫通孔４０ｅは、図３及び図１０に示すように、固定ボルト４７装着用の貫通孔４０ｇの近傍に配置され、貫通孔４０ｇに固定ボルト４７を装着した状態で第１ベール支持部材４０の外部からラインローラ４１のローラ４１ａ内周部を臨むように貫通する貫通孔である。貫通孔４０ｅは、径方向内側に突出した段差部４０ｆを有しており、第１ベール支持部材４０の内側からキャップ部材８０を装着したときにキャップ部材８０の外側面８０ｇ（図１０参照）が段差部４０ｆに接触することによってキャップ部材８０が第１ベール支持部材４０の外側に突出しないように位置決めされる。
【００３５】
キャップ部材８０は、図３、図７、図８及び図１０に示すように、第１ベール支持部材４０の貫通孔４０ｅに第１ベール支持部材４０の内側から装着される略円筒状の合成樹脂製の部材であって、ラインローラ４１の内周部に潤滑油を注油するための中央部に細孔からなる注油孔８０ａを有する管状部材である。キャップ部材８０は、たとえば、ニトリルゴム（ＮＢＲ）等の合成ゴム製のキャップ部材である。注油孔８０ａは、注油用ノズルが挿入可能に小径となるように形成された貫通孔である。注油孔８０ａは、図１０に示すように、第１ベール支持部材４０の外側（図１０右側）から第１ベール支持部材４０の内側（図１０左側）に向かって小径になるように縮径する第１傾斜部８０ｂと、第１傾斜部８０ｂの最小径部から内側（図１０左側）に向かって同径に延びる第１筒状部８０ｃと、第１筒状部８０ｃから内側（図１０左側）に向かって小径になるように縮径する第２傾斜部８０ｄと、第２傾斜部８０ｄの最小径部から内側（図１０左側）に向かって同径に延びる第２筒状部８０ｅとを有している。第１傾斜部８０ｂの最大径部は、貫通孔４０ｅの段差部４０ｆの内径と略同一になるように形成されており、キャップ部材８０の外側面８０ｇが第１ベール支持部材４０の外側に露出しないように配置されている。第２筒状部８０ｅは、注油用ノズルが挿入可能に小径となるように形成されている。キャップ部材８０は、キャップ部材８０の内側面８０ｆ（図１０参照）に接触するように板状の抜け止め部材８１を第１ベール支持部材４０の内側から押圧するように装着することによって、第１ベール支持部材４０に固定される。
【００３６】
抜け止め部材８１は、図３、図６及び図１０に示すように、中央部に第１ベール支持部材４０の固定ボルト４７装着用の貫通孔４０ｇと連通する貫通孔８１ａと、両側の一部が切り欠かれ一方側が第１ベール支持部材４０の貫通孔４０ｅ及びキャップ部材８０の注油孔８０ａと連通する２つの切り欠き部８１ｂとを有している。抜け止め部材８１は、外側面８１ｃが第１ベール支持部材４０の略円形の内側面４０ｈに接触するように装着され、かつ、抜け止め部材８１の外側面８１ｃがキャップ部材８０の内側面８０ｆを外側に押圧することによって、キャップ部材８０の外側面８０ｇが貫通孔４０ｅの段差部４０ｆに接触してキャップ部材８０が第１ベール支持部材４０に固定される。ここでは、ラインローラ４１の内周部に潤滑油を注油するときは、外部に露出したキャップ部材８０の注油孔８０ａ注油孔からラインローラ４１の内周部に潤滑油を注油する。
【００３７】
ラインローラ４１は、第１ベール支持部材４０の先端に設けられ釣り糸をスプール４に案内する部材である。ラインローラ４１は、図３に示すように、外周面に釣り糸を案内する溝が形成された筒状のローラ４１ａと、ローラ４１ａの内周側に軸方向に間隔を隔てて配置された第１筒状部材８２ａ及び第２筒状部材８２ｂと、第１筒状部材８２ａ及び第２筒状部材８２ｂの内周側かつ固定軸４５の外周側に軸方向に間隔を隔てて配置された第１軸受８３ａ及び第２軸受８３ｂとを有している。ローラ４１ａは、第１筒状部材８２ａ及び第２筒状部材８２ｂ、第１軸受８３ａ及び第２軸受８３ｂを介して固定軸４５に回動自在に支持されている。ローラ４１ａは、外周部に釣り糸を案内するための溝部が形成された案内部４１ｂと、内周部内側に内径が小径となるように形成された小径内径部４１ｃと、内周部外側に内径が大径となるように形成された大径内径部４１ｄとを有している。第１筒状部材８２ａ及び第２筒状部材８２ｂは、図３及び図９に示すように、第１筒状部材８２ａと第２筒状部材８２ｂとが同一形状となる合成樹脂製の段付きの筒状部材であって、第１筒状部材８２ａと第２筒状部材８２ｂとが図３左右方向に対称となるように対向するように配置されている。第１筒状部材８２ａ及び第２筒状部材８２ｂは、ラインローラ４１のローラ４１ａ内周部と第１軸受８３ａ及び第２軸受８３ｂの外周部との間に別体で介装されるスペーサーであり、ラインローラ４１のローラ４１ａを位置決め支持するための部材である。第１筒状部材８２ａ及び第２筒状部材８２ｂは、図３に示すように、ローラ４１ａの小径内径部４１ｃを支持する第１筒部８２ｃと、第１筒部８２ｃより大径に形成されローラ４１ａの大径内径部４１ｄを支持する第２筒部８２ｄと、第２筒部８２ｄより大径に形成され側部がローラ４１ａの両端側部を支持するフランジ部８２ｅとを有している。第１筒状部材８２ａ及び第２筒状部材８２ｂは、図９に示すように（図９には、第２筒状部材８２ｂのみを示しているが、第１筒状部材８２ａも第２筒状部材８２ｂと同一の構造である）、第１筒部８２ｃ及び第２筒部８２ｄの側部の３箇所に間隔をあけて切り欠かれた切り欠き部８２ｆをさらに有している。切り欠き部８２ｆは、第１筒部８２ｃ及び第２筒部８２ｄの側部を貫通し、キャップ部材８０の注油孔８０ａ及びラインローラ４１のローラ４１ａ内周部と連通可能な切り欠きである。ここでは、第１筒状部材８２ａ及び第２筒状部材８２ｂにキャップ部材８０の注油孔８０ａ及びラインローラ４１のローラ４１ａ内周部と連通可能な切り欠き部８２ｆを設けることによって、ラインローラ４１の内周部に容易に注油を行うことができる。
【００３８】
ベール４３は、固定軸カバー４６と第２ベール支持部材４２との間を連結して釣り糸をラインローラ４１に案内する部材である。ベール４３は、図１及び図２に示すように、一端が固定軸カバー４６とステンレス合金の鍛造により一体成形され、他端が第２ベール支持部材４２にかしめ固定された針金状の部材であり、スプール４の周方向外方に凸に湾曲して配置されている。ベール４３は、ベールアーム４４が糸開放姿勢から糸案内姿勢に復帰したときに釣り糸を固定軸カバー４６を介してラインローラ４１に導くためのものである。
【００３９】
第２ベール支持部材４２は、第２ロータアーム３２の先端に揺動自在に装着される部材である。第２ベール支持部材４２は、亜鉛合金によって形成されたアーム部材であり、ベール４３の端部を支持するためのものである。第２ベール支持部材４２は、図２に示すように、第２ロータアーム３２に揺動自在に装着される第２回転支持部４２ａと、第２回転支持部４２ａから前方に延びる第２アーム部４２ｂと、第２アーム部４２ｂの先端に一体成形されベールアーム４４のベール４３が装着される第２装着部４２ｃとを有している。
【００４０】
固定軸４５は、第１ベール支持部材４０の先端から突出しラインローラ４１を回転自在に支持する部材である。固定軸４５は、固定軸カバー４６と別体で形成されたアルミニウム合金製のナット部材である。固定軸４５は、図３に示すように、固定軸カバー４６側の基端から第１ベール支持部材４０側の先端に向かって延びており、先端が固定ボルト４７により第１ベール支持部材４０に固定されている。
【００４１】
固定軸カバー４６は、固定軸４５の先端に設けられ、ラインローラ４１の外径より大きい外径を有している。固定軸カバー４６は、固定軸４５の基端に第１ベール支持部材４０の装着部と間隔を隔てて設けられ、鍛造等の型成形により形成されている。固定軸カバー４６は、頂点が中心からずれた略円錐形状の部材であり、固定軸４５の中心を基準にしてリールの後方でかつスプール４の径方向外方に頂点が向いている。固定軸カバー４６の頂点より釣り糸案内側に偏倚してベール４３が一体成形され、ベール４３は頂点付近の稜線部分と滑らかに接合されている。
【００４２】
ロータ３の筒部３０の内部には、図２に示すように、ロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００４３】
スプール４は、図２に示すように、ロータ３の第１ロータアーム３１と第２ロータアーム３２との間に配置されており、スプール軸１５の先端にドラグ機構６０を介して装着されている。スプール４は、図４に示すように、外周に釣り糸が巻かれる糸巻胴部４ａと、糸巻胴部４ａの後方に糸巻胴部４ａと一体形成された筒状のスカート部４ｂと、糸巻胴部４ａの前端に設けられた大径の前フランジ部４ｃとを有している。
【００４４】
ドラグ機構６０は、図２に示すように、スプール４の回転を制動するものであり、スプール軸１５の先端に螺合するドラグ調整つまみ６１と、ドラグ調整つまみ６１により押圧されてスプール４を制動する制動部６２とを有している。
【００４５】
次にリールの操作及び動作について説明する。
【００４６】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により糸巻き取り姿勢に復帰しロータ３の逆転が禁止されているので釣り糸の放出が止まる。
【００４７】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
【００４８】
このようなスピニングリールのベールアーム４４では、第１ベール支持部材４０には、外部からラインローラ４１のローラ４１ａ内周部を臨むように貫通する貫通孔４０ｅが形成され、貫通孔４０ｅには、潤滑油を注油するための注油孔８０ａを有する合成ゴム等の合成樹脂製のキャップ部材８０が装着されている。ここでは、ラインローラ４１の内周部に潤滑油を注油するときは、外部に露出したキャップ部材８０の注油孔８０ａからラインローラ４１の内周部に潤滑油を注油する。ここでは、従来のように第１ベール支持部材４０や固定軸４５及び固定軸カバー４６を分解することなく潤滑油を注油することができるので、ラインローラ４１の各種部品を紛失することがなくなり、第１ベール支持部材４０や固定軸４５及び固定軸カバー４６を分解することなくラインローラ４１の内周部に容易に注油を行うことができる。
【００４９】
〔他の実施形態〕
（ａ）  前記実施形態では、ベール４３と固定軸カバー４６とが一体成形され、固定軸４５と固定軸カバー４６とが別体で形成されていたが、ベール４３、固定軸４５及び固定軸カバー４６を一体成形してもよいし、ベール４３、固定軸４５及び固定軸カバー４６を別体で形成してもよい。また、ベール４３、固定軸４５及び固定軸カバー４６の材質や製造方法は、ステンレス合金やアルミニウム合金以外の他の金属であってもよいし、鍛造や切削加工以外の他の加工方法であってもよい。
【００５０】
（ｂ）  前記実施形態では、第２ベール支持部材４２及びベール４３を有するベールアーム４４であったが、第２ベール支持部材４２及びベール４３を有さないベールレス型のベールアーム４４にも本発明を適用できる。
【００５１】
（ｃ）  前記実施形態では、キャップ部材８０の注油孔８０ａは、第１傾斜部８０ｂ、第１筒状部８０ｃ、第２傾斜部８０ｄ及び第２筒状部８０ｅにより構成されていたが、全体が外側から内側に向かって縮径する傾斜部のみで構成してもよいし、全体が外側から内側に向かって同径に延びる筒状部のみで構成してもよい。
【００５２】
（ｄ）  前記実施形態では、キャップ部材８０は、中央部に細孔からなる注油孔８０ａを有する管状部材であったが、図１１に示すように、注油用ノズルが挿入される外側面８０ｇから注油孔８０ａを中心として十字方向の４箇所に注油用ノズル挿入方向に楔型に切り欠いた切り欠き部８０ｈを形成してもよい。この場合、キャップ部材８０の注油孔８０ａは、合成ゴムの弾性力によって開口部が閉塞されるので、注油孔８０ａの内部に塩や塵芥等が進入しにくくなる。
【００５３】
（ｅ）  前記実施形態では、キャップ部材８０は、中央部に細孔からなる注油孔８０ａを有する管状部材であったが、図１２に示すように、中央部に空洞からなる注油孔８０ａを有するＯリング等の環状部材であってもよい。
【００５４】
（ｆ）  前記実施形態では、キャップ部材８０は、第１ベール支持部材４０の貫通孔４０ｅに装着されていたが、これに限定されるものではなく、固定軸４５や固定軸カバー４６に外部からラインローラ４１のローラ４１ａ内周部を臨むように貫通する貫通孔を形成し、この貫通孔にキャップ部材８０を装着するようにしてもよい。
【符号の説明】
【００５５】
１  ハンドル
２  リール本体
２ａ  リールボディ
２ｂ  蓋部材
２ｃ  竿取付脚
２ｄ  本体ガード
３  ロータ
４  スプール
４ａ  糸巻胴部
４ｂ  スカート部
４ｃ  前フランジ部
５  ロータ駆動機構
６  オシレーティング機構
７  ロータ本体
１０  マスターギア軸
１１  フェースギア
１２  ピニオンギア
１３  ナット
１４ａ  第１軸受
１４ｂ  第２軸受
１５  スプール軸
２１  螺軸
２２  スライダ
２３  中間ギア
３０  筒部
３１  第１ロータアーム
３２  第２ロータアーム
３３  第１カバー部材
３４  第２カバー部材
３５  第３カバー部材
４０  第１ベール支持部材
４０ａ  第１回転支持部
４０ｂ  第１アーム部
４０ｃ  第１装着部
４０ｄ  凹部
４０ｅ  貫通孔
４０ｆ  段差部
４０ｇ  貫通孔
４０ｈ  内側面
４１  ラインローラ
４１ａ  ローラ
４１ｂ  案内部
４１ｃ  小径内径部
４１ｄ  大径内径部
４２  第２ベール支持部材
４２ａ  第２回転支持部
４２ｂ  第２アーム部
４２ｃ  第２装着部
４３  ベール
４４  ベールアーム
４５  固定軸
４６  固定軸カバー
４７  固定ボルト
５０  逆転防止機構
５１  ワンウェイクラッチ
５２  切換機構
６０  ドラグ機構
６１  ドラグ調整つまみ
６２  制動部
８０  キャップ部材
８０ａ  注油孔
８０ｂ  第１傾斜部
８０ｃ  第１筒状部
８０ｄ  第２傾斜部
８０ｅ  第２筒状部
８０ｆ  内側面
８０ｇ  外側面
８０ｈ  切り欠き部
８１  抜け止め部材
８１ａ  貫通孔
８１ｂ  切り欠き部
８１ｃ  外側面
８２ａ  第１筒状部材
８２ｂ  第２筒状部材
８２ｃ  第１筒部
８２ｄ  第２筒部
８２ｅ  フランジ部
８２ｆ  切り欠き部
【図１】
2011092047.tif 000003
【図２】
2011092047.tif 000004
【図３】
2011092047.tif 000005
【図４】
2011092047.tif 000006
【図５】
2011092047.tif 000007
【図６】
2011092047.tif 000008
【図７】
2011092047.tif 000009
【図８】
2011092047.tif 000010
【図９】
2011092047.tif 000011
【図１０】
2011092047.tif 000012
【図１１】
2011092047.tif 000013
【図１２】
2011092047.tif 000014